(57)【特許請求の範囲】
【請求項１】
所定の乗降地点で停車する移動体に乗車している搭乗者への情報提示方法であって、
前記移動体に固有の情報であり、かつ、前記移動体の位置に固有の情報である固有情報を可視光通信信号として含む光を、前記移動体に搭載された照明装置により前記移動体の乗車空間に向けて送信する光送信ステップと、
前記光送信ステップで送信された光を前記乗車空間内で、前記搭乗者が保有する端末により受信し、受信した前記光に含まれる前記固有情報を取得する受信ステップと、
取得された前記固有情報から得られる、前記所定の乗降地点のうち現時点以降に前記移動体が停車する停車地点を取得する取得ステップと、
前記搭乗者が前記移動体を降車する地点である降車地点を受け付ける受付ステップと、
前記降車地点が前記停車地点に含まれているか否かを判定する判定ステップと、
前記降車地点が前記停車地点に含まれていると前記判定ステップで判定されると、前記移動体からの降車を案内する降車情報を前記端末により前記搭乗者に提示する提示ステップとを含み、
前記取得ステップでは、前記停車地点のうち現時点以降に最初に前記移動体が停車する次停車地点を取得し、
前記判定ステップでは、前記次停車地点と前記降車地点とが一致するか否かを判定し、
前記情報提示方法は、さらに、
予め前記所定の乗降地点に対応付けられた特典情報を保持しているサーバに、前記受信ステップで取得した前記固有情報と前記受付ステップで受け付けた前記降車地点とを送信する地点送信ステップと、
前記地点送信ステップで送信された前記固有情報の真正性を判定する真正性判定ステップと、
前記真正性判定ステップで前記固有情報が真正であると判定されると、前記サーバが保持している前記特典情報のうち、前記地点送信ステップで送信した前記降車地点に対応付けられた特典情報を前記サーバから受信する特典受信ステップとを含み、
前記提示ステップでは、前記降車情報とともに、前記特典受信ステップで受信した前記特典情報を前記搭乗者に提示し、
前記搭乗者は、複数の搭乗者を含み、
前記受付ステップでは、前記複数の搭乗者それぞれが移動体を降車する降車地点である複数の前記降車地点を受け付け、
前記受信ステップでは、前記複数の搭乗者それぞれが保有する端末により前記光送信ステップで送信された光に含まれる前記固有情報である複数の固有情報を取得し、
前記地点送信ステップでは、前記サーバに、前記受信ステップで取得した複数の前記固有情報と、前記受付ステップで受け付けた複数の前記降車地点とを送信し、
情報提示方法は、さらに、
送信された複数の前記降車地点を分析することで、前記所定の乗降地点における搭乗者の降車時刻及び降車人数を推定する分析ステップと、
前記分析ステップで推定した前記降車時刻及び前記降車人数を出力する出力ステップとを含む
情報提示方法。
【請求項２】
前記光送信ステップでは、
前記移動体の路線上であって、前記所定の乗降地点とは異なる地点に前記移動体が位置しているときに限り、前記光を送信する
請求項１に記載の情報提示方法。
【請求項３】
所定の乗降地点で停車する移動体に乗車している搭乗者への情報提示システムであって、
前記情報提示システムは、
前記移動体に搭載された照明装置と、
前記搭乗者が保有する端末と、
サーバとを備え、
前記照明装置は、
前記移動体に固有の情報であり、かつ、前記移動体の位置に固有の情報である固有情報を可視光通信信号として含む光を前記移動体の乗車空間に向けて送信する光送信部を備え、
前記端末は、
前記光送信部が送信した光を前記乗車空間内で受信し、受信した前記光に含まれる前記固有情報を取得する受信部と、
取得された前記固有情報から得られる、前記所定の乗降地点のうち現時点以降に前記移動体が停車する停車地点を取得する取得部と、
前記搭乗者が前記移動体を降車する地点である降車地点を受け付ける受付部と、
前記停車地点と前記降車地点との比較により、前記移動体が前記降車地点に接近しているか否かを判定する判定部と、
前記移動体が前記降車地点に接近していると前記判定部が判定すると、前記移動体が前記降車地点に接近していることを示す降車情報を前記搭乗者に提示する提示部とを備え、
前記取得部は、前記停車地点のうち現時点以降に最初に前記移動体が停車する次停車地点を取得し、
前記判定部は、前記次停車地点と前記降車地点とが一致するか否かを判定し、
前記端末は、さらに、
予め前記所定の乗降地点に対応付けられた特典情報を保持しているサーバに、前記受信部がで取得した前記固有情報と前記受付部が受け付けた前記降車地点とを送信し、送信された前記固有情報の真正性を判定し、
前記固有情報が真正であると判定されると、前記サーバが保持している前記特典情報のうち、送信した前記降車地点に対応付けられた特典情報を前記サーバから受信し、
前記提示部は、前記降車情報とともに、受信した前記特典情報を前記搭乗者に提示し、
前記搭乗者は、複数の搭乗者を含み、
前記受付部は、前記複数の搭乗者それぞれが移動体を降車する降車地点である複数の前記降車地点を受け付け、
前記受信部は、前記複数の搭乗者それぞれが保有する端末により前記光送信部により送信された光に含まれる前記固有情報である複数の固有情報を取得し、
前記降車地点を送信する際には、前記サーバに、前記受信部が取得した複数の前記固有情報と、前記受付部が受け付けた複数の前記降車地点とを送信し、
前記サーバは、
送信された複数の前記降車地点を分析することで、前記所定の乗降地点における搭乗者の降車時刻及び降車人数を推定し、
推定した前記降車時刻及び前記降車人数を出力する
情報提示システム。
【請求項４】
所定の乗降地点で停車する移動体に乗車している搭乗者への情報提示システムであって、
前記情報提示システムは、
前記移動体に搭載された照明装置と、
前記搭乗者が保有する端末とを備え、
前記照明装置は、
前記移動体に固有の情報であり、かつ、前記移動体の位置に固有の情報である固有情報を可視光通信信号として含む光を前記移動体の乗車空間に向けて送信する光送信部を備え、
前記端末は、
前記光送信部が送信した光を前記乗車空間内で受信し、受信した前記光に含まれる前記固有情報を取得する受信部と、
取得された前記固有情報から得られる、前記所定の乗降地点のうち現時点以降に前記移動体が停車する停車地点を取得する取得部と、
前記搭乗者が前記移動体を降車する地点である降車地点を受け付ける受付部と、
前記停車地点と前記降車地点との比較により、前記移動体が前記降車地点に接近しているか否かを判定する判定部と、
前記移動体が前記降車地点に接近していると前記判定部が判定すると、前記移動体が前記降車地点に接近していることを示す降車情報を前記搭乗者に提示する提示部とを備え、
前記情報提示システムは、さらに、
前記照明装置が前記固有情報を含む光を送信するタイミングを規定するためのビーコンを前記照明装置に送信するビーコン送信部を備え、
前記照明装置は、
光源と、
前記光源を発光させるための電流を供給する電源部と、
前記ビーコン送信部から前記ビーコンを受信するビーコン受信部と、
前記ビーコン受信部が前記ビーコンを受信したタイミングに基づいて前記光源へ供給する電流の電流値を変調することで、前記光源により可視光通信信号を含む光を送信させる変調回路とを備える
情報提示システム。
【請求項５】
前記照明装置は、複数のグループにグループ化された複数の前記照明装置を含み、
前記ビーコン送信部は、前記複数のグループそれぞれに属する照明装置に対して前記ビーコンを送信する
請求項４に記載の情報提示システム。
【請求項６】
複数の前記照明装置のうちの１以上の照明装置は、さらに、前記ビーコン送信部を備え、
前記１以上の照明装置のそれぞれは、さらに、
当該照明装置の外部から前記ビーコンを所定時間受信しないときに、前記ビーコン送信部に前記ビーコンの送信を開始させる送信制御部を備える
請求項５に記載の情報提示システム。
【請求項７】
前記情報提示システムは、さらに、
前記照明装置とは別体の同期装置であって、前記ビーコン送信部を備える同期装置を備える
請求項５に記載の情報提示システム。
【請求項８】
前記同期装置は、さらに、前記照明装置と信号線により接続されており、
前記ビーコン送信部は、前記信号線により接続された前記照明装置に前記信号線を通じて前記ビーコンを送信する
請求項７に記載の情報提示システム。
【請求項９】
複数の前記照明装置のうちの一の照明装置は、さらに、複数の前記照明装置のうちの他の照明装置と信号線により接続されており、
前記一の照明装置は、前記ビーコン受信部により前記ビーコンを受信すると、前記信号線を通じて前記他の照明装置に前記ビーコンを送信する
請求項４〜８のいずれか１項に記載の情報提示システム。
【請求項１０】
複数の前記照明装置のうちの一の照明装置は、さらに、複数の前記照明装置のうちの他の照明装置と信号線により接続されており、
前記一の照明装置は、前記変調回路が変調した後の電流値を示す信号を、前記信号線を通じて前記他の照明装置に送信し、
前記他の照明装置の変調回路は、前記一の照明装置から前記信号線を通じて受信した前記信号に基づいて、前記一の照明装置と同位相で電流値を変調する
請求項９に記載の情報提示システム。
【請求項１１】
前記照明装置は、さらに、
前記端末が受信可能である端末用ビーコンを、前記ビーコン受信部が前記ビーコンを受信したタイミングに基づいて電波により送信する電波ビーコン送信部を備える
請求項４〜１０のいずれか１項に記載の情報提示システム。
【発明の詳細な説明】
【技術分野】
【０００１】
本発明は、情報提示方法、サーバ、及び、情報提示システムに関する。
【背景技術】
【０００２】
鉄道又はバスなどの交通機関（以降、移動体ともいう）に乗車する搭乗者は、乗車中に当該交通機関の現在位置を把握し、自身が降車することを予定している地点において確実に降車することを望んでいる。
【０００３】
従来、搭乗者の希望に応じた詳細な交通案内情報を提供する技術が開示されている。
（例えば、特許文献１）。
【先行技術文献】
【特許文献】
【０００４】
【特許文献１】特開２００９−８５７８４号公報
【発明の概要】
【発明が解決しようとする課題】
【０００５】
しかしながら、搭乗者は、移動体の現在位置を適切に把握できない場合、又は、言語上の問題などにより降車すべき地点であるか否かを適切に判断できない場合などには、適切に移動体を降車することができない場合がある。
【０００６】
そこで、本発明は、降車に関する情報を搭乗者に適切に提示する情報提示方法等を提供することを目的とする。
【課題を解決するための手段】
【０００７】
上記目的を達成するために、本発明の一態様に係る情報提示方法は、所定の乗降地点で停車する移動体に乗車している搭乗者への情報提示方法であって、前記移動体に固有の情報であり、かつ、前記移動体の位置に固有の情報である固有情報を可視光通信信号として含む光を、前記移動体に搭載された照明装置により前記移動体の乗車空間に向けて送信する光送信ステップと、前記光送信ステップで送信された光を前記乗車空間内で、前記搭乗者が保有する端末により受信し、受信した前記光に含まれる前記固有情報を取得する受信ステップと、取得された前記固有情報から得られる、前記所定の乗降地点のうち現時点以降に前記移動体が停車する停車地点を取得する取得ステップと、前記搭乗者が前記移動体を降車する地点である降車地点を受け付ける受付ステップと、前記降車地点が前記停車地点に含まれているか否かを判定する判定ステップと、前記降車地点が前記停車地点に含まれていると前記判定ステップで判定されると、前記移動体からの降車を案内する降車情報を前記端末により前記搭乗者に提示する提示ステップとを含む。
【０００８】
また、上記目的を達成するために、本発明の一態様に係るサーバは、移動体が停車する所定の乗降地点に対応付けられた特典情報を保持している保持部と、前記移動体に固有の情報であり、かつ、前記移動体の位置に固有の情報である固有情報と、搭乗者が前記移動体を降車する地点である降車地点とを受信する固有情報受信部と、前記固有情報受信部が受信した前記固有情報の真正性を判定する判定部と、前記固有情報が真正であると前記判定部が判定すると、前記特典情報のうち、前記固有情報受信部が受信した前記降車地点に対応付けられた特典情報を送信する特典送信部とを備える。
【０００９】
また、上記目的を達成するために、本発明の一態様に係る情報提示システムは、所定の乗降地点で停車する移動体に乗車している搭乗者への情報提示システムであって、前記情報提示システムは、前記移動体に搭載された照明装置と、前記搭乗者が保有する端末とを備え、前記照明装置は、前記移動体に固有の情報であり、かつ、前記移動体の位置に固有の情報である固有情報を可視光通信信号として含む光を前記移動体の乗車空間に向けて送信する光送信部を備え、前記端末は、前記光送信部が送信した光を前記乗車空間内で受信し、受信した前記光に含まれる前記固有情報を取得する受信部と、取得された前記固有情報から得られる、前記所定の乗降地点のうち現時点以降に前記移動体が停車する停車地点を取得する取得部と、前記搭乗者が前記移動体を降車する地点である降車地点を受け付ける受付部と、前記停車地点と前記降車地点との比較により、前記移動体が前記降車地点に接近しているか否かを判定する判定部と、前記移動体が前記降車地点に接近していると前記判定部が判定すると、前記移動体が前記降車地点に接近していることを示す降車情報を前記搭乗者に提示する提示部とを備える。
【発明の効果】
【００１０】
本発明の情報提示方法によれば、降車に関する情報を搭乗者に適切に提示することができる。
【図面の簡単な説明】
【００１１】
【図１】実施の形態１における情報提示システムを示す概念図である。
【図２】実施の形態１における照明装置のハードウェア構成を示すブロック図である。
【図３】実施の形態１における端末のハードウェア構成を示すブロック図である。
【図４】実施の形態１における照明装置の機能構成を示すブロック図である。
【図５】実施の形態１における端末の機能構成を示すブロック図である。
【図６】実施の形態１におけるバスの路線及び乗降地点の説明のための模式図である。
【図７】実施の形態１における照明装置の処理を示すフロー図である。
【図８】実施の形態１における端末の処理を示すフロー図である。
【図９】実施の形態１における乗降地点及び停車地点の説明図である。
【図１０】実施の形態１における降車地点の説明図である。
【図１１】実施の形態１におけるユーザへの情報提示の一例を示す説明図である。
【図１２】実施の形態２における情報提示システムを示す概念図である。
【図１３】実施の形態２における端末の機能構成を示すブロック図である。
【図１４】実施の形態２におけるサーバの機能構成を示すブロック図である。
【図１５】実施の形態２における端末の処理を示すフロー図である。
【図１６】実施の形態２におけるサーバの処理を示すフロー図である。
【図１７】実施の形態２における特典情報の第一例である広告情報の提示の一例を示す説明図である。
【図１８】実施の形態２における特典情報の第二例である認証情報の利用方法を示す概念図である。
【図１９】実施の形態２における認証情報を利用する端末の処理を示すフロー図である。
【図２０】実施の形態２における認証情報を利用するゲート及び認証サーバの処理を示すフロー図である。
【図２１】実施の形態３における情報提示システムを示す概念図である。
【図２２Ａ】実施の形態３における同期装置のハードウェア構成を示すブロック図である。
【図２２Ｂ】実施の形態３における同期装置の無線制御マイコンのハードウェア構成を示すブロック図である。
【図２３】実施の形態３における電波ビーコン内に記述される情報を示す説明図である。
【図２４】実施の形態３における照明装置のハードウェア構成を示すブロック図である。
【図２５】実施の形態３における照明装置の詳細なハードウェア構成を示すブロック図である。
【図２６】実施の形態３における同期装置による電波ビーコンの送信と、照明装置による可視光通信信号の送信との処理を示すフロー図である。
【図２７】実施の形態３における照明装置による情報送信のタイミングを示すタイミング図である。
【図２８】実施の形態３の変形例１における情報提示システムを示す概念図である。
【図２９】実施の形態３の変形例２における情報提示システムを示す概念図である。
【図３０】実施の形態３の変形例３における情報提示システムを示す概念図である。
【発明を実施するための形態】
【００１２】
以下、本実施の形態に係る照明装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置や接続形態、及び、工程（ステップ）や工程の順序などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１３】
（実施の形態１）
本実施の形態において、降車に関する情報を搭乗者に適切に提示することができる情報提示システム及び情報提示方法について説明する。
【００１４】
図１は、本実施の形態における情報提示システム１を示す概念図である。
【００１５】
図１に示されるように、情報提示システム１は、バス１０の乗車空間１１内に設置された照明装置Ｌ１と、端末２０とを備える。
【００１６】
バス１０は、不特定の利用者が利用し得る交通機関、より具体的には、公共交通機関の一例である。バス１０は、所定の路線上を移動し、上記所定の路線上の所定の乗降地点（バス停ともいう）において、バス１０に利用者が乗車又は降車するために停車する。
【００１７】
バス１０は、移動体の一例である。移動体の別の例としては、電車又は船舶などがあり得る。以降では、移動体の一例としてバス１０を用いて説明するが、移動体が電車又は船舶等である場合でも同様の説明が成立する。所定の乗降地点は、移動体が電車である場合には駅であり、移動体が船舶である場合には港である。
【００１８】
乗車空間１１は、バス１０の内部の空間であり、利用者であるユーザＵ１が乗車するための空間である。乗車空間１１には照明装置Ｌ１が設置され、照明装置Ｌ１により可視光通信の信号（以降、可視光通信信号ともいう）を含む光が照射される。乗車空間１１には、他にも、例えばユーザＵ１が着座するための座席（不図示）等が設置されていてもよい。
【００１９】
照明装置Ｌ１は、バス１０に搭載された可視光通信用の照明装置である。照明装置Ｌ１は、可視光通信信号を含む光を乗車空間１１内に向けて照射する。
【００２０】
ユーザＵ１は、バス１０に乗車し、乗車空間１１にいる人間である。ユーザＵ１は、端末２０を保有しており、端末２０を利用して情報を得たり、情報を生成したりする。
【００２１】
端末２０は、ユーザＵ１に利用される情報処理端末である。なお、端末２０は、ユーザＵ１により利用されている情報処理端末であればよく、ユーザＵ１が端末２０の所有権を有するか否かは問題としない。
【００２２】
図２は、本実施の形態における照明装置Ｌ１のハードウェア構成を示すブロック図である。
【００２３】
図２に示されるように、照明装置Ｌ１は、ＣＰＵ（Ｃｅｎｔｒａｌ  Ｐｒｏｃｅｓｓｉｎｇ  Ｕｎｉｔ）１０１と、ストレージ１０２と、入力ＩＦ（Ｉｎｔｅｒｆａｃｅ）１０３と、ＮＩＦ（Ｎｅｔｗｏｒｋ  Ｉｎｔｅｒｆａｃｅ）１０４と、変調回路１０５と、光源１０６とを備える。
【００２４】
ＣＰＵ１０１は、ストレージ１０２に格納されたプログラムを実行するプロセッサである。ＣＰＵ１０１が上記プログラムを実行することにより、照明装置Ｌ１が備える各機能ブロック（後述）の機能が実現される。
【００２５】
ストレージ１０２は、プログラムなどを保持する不揮発性の記憶領域である。
【００２６】
入力ＩＦ１０３は、ユーザＵ１による操作を受け付けるインタフェース装置であり、具体的には、ボタン等により実現される。
【００２７】
ＮＩＦ１０４は、ネットワークを通じて他の装置との間で情報を送受信するインタフェース装置である。ネットワークは、例えば、携帯電話回線、又は、ＩＥＥＥ８０２．１１ａ、ｂ、ｇ、ｎ規格などに適合する無線ＬＡＮである。ＮＩＦ１０４は、ネットワークの種別に応じたインタフェース装置が用いられる。
【００２８】
変調回路１０５は、光源１０６に供給される電流の電流値を変調することで、光源１０６が照射する光の振幅を変調するための変調回路である。変調回路１０５が可視光通信信号に従って光源１０６に供給する電流の電流値を変調すると、光源１０６が当該可視光通信信号を含む光を送信する。
【００２９】
光源１０６は、光を発する光源である。光源１０６は、供給される電流の電流値に応じた振幅の光を出力することで、照明装置Ｌ１の周囲を照明する。また、供給される電流の電流値が可視光通信信号に従って変調されている場合には、光源１０６は、上記照明をすることにより、可視光通信信号を周囲に送信する。
【００３０】
図３は、本実施の形態における端末２０のハードウェア構成を示すブロック図である。
【００３１】
図３に示されるように、端末２０は、ＣＰＵ２０１と、ストレージ２０２と、入力ＩＦ２０３と、ＮＩＦ２０４と、表示装置２０５と、受光装置２０６と、スピーカ２０７と、振動モータ２０８と、ＮＦＣ（Ｎｅａｒ  Ｆｉｅｌｄ  Ｃｏｍｍｕｎｉｃａｔｉｏｎ、近距離無線通信）ポート２０９とを備える。
【００３２】
ＣＰＵ２０１は、ストレージ２０２に格納されたプログラムを実行するプロセッサである。ＣＰＵ２０１が上記プログラムを実行することにより、端末２０が備える各機能ブロック（後述）の機能が実現される。
【００３３】
ストレージ２０２は、プログラムなどを保持する不揮発性の記憶領域である。
【００３４】
入力ＩＦ２０３は、ユーザＵ１による操作を受け付けるインタフェース装置であり、具体的には、ボタン又はタッチパネル等により実現される。
【００３５】
ＮＩＦ２０４は、ネットワークを通じて他の装置との間で情報を送受信するインタフェース装置である。ＮＩＦ２０４は、例えば、携帯電話回線、又は、ＩＥＥＥ８０２．１１ａ、ｂ、ｇ、ｎ規格などに適合する無線ＬＡＮにより実現される。
【００３６】
表示装置２０５は、画像を表示する表示装置である。表示装置２０５は、例えば、液晶ディスプレイ（タッチパネル式液晶ディスプレイのディスプレイ部分である場合を含む）により実現される。
【００３７】
受光装置２０６は、周囲から光を受光し、受光した光の強度に応じた値（受光強度）を出力する受光装置である。なお、受光装置２０６は、フォトダイオード又はカメラ（撮像装置）等により実現される。
【００３８】
スピーカ２０７は、音を出力する音声出力装置である。
【００３９】
振動モータ２０８は、振動を発生させる振動発生装置である。
【００４０】
ＮＦＣポート２０９は、ＮＦＣにより他の装置と通信を行う通信インタフェース装置である。
【００４１】
以上のように構成された照明装置Ｌ１及び端末２０の機能について以降で説明する。
【００４２】
図４は、本実施の形態における照明装置Ｌ１の機能構成を示すブロック図である。
【００４３】
図４に示されるように、照明装置Ｌ１は、位置情報取得部１２１と、固有情報生成部１２２と、固有情報送信部１２３と、記憶部１２４とを備える。
【００４４】
位置情報取得部１２１は、バス１０の現在位置の位置情報（以降、単に位置情報ともいう）を取得する処理部である。位置情報取得部１２１は、例えば、ＧＰＳ（Ｇｌｏｂａｌ  Ｐｏｓｉｔｉｏｎｉｎｇ  Ｓｙｓｔｅｍ）によりバス１０の位置情報を取得し、取得した位置情報を固有情報生成部１２２に提供する。位置情報取得部１２１は、ＣＰＵ１０１及びストレージ１０２等により実現される。
【００４５】
固有情報生成部１２２は、路線上を移動しているバス１０に固有の情報であり、バス１０の位置に固有の情報である固有情報を生成する処理部である。具体的には、固有情報生成部１２２は、位置情報取得部１２１から位置情報を取得し、取得した位置情報と、記憶部１２４に格納された乗降地点リスト１２５とを用いて固有情報を生成する。固有情報生成部１２２は、ＣＰＵ１０１及びストレージ１０２等により実現される。
【００４６】
固有情報は、バス１０に固有な情報であり、かつ、バス１０の位置に固有な情報であり、例えば、これらの情報を連結することで生成される。
【００４７】
バス１０に固有な情報としては、例えば、バス１０を他のバスから識別する識別子を用いることができる。なお、バス１０に固有な情報として、照明装置Ｌ１に固有な情報を用いることも可能である。照明装置Ｌ１に固有な情報としては、照明装置Ｌ１の一の個体を、他の個体から識別する識別子を用いることができる。
【００４８】
また、位置情報に固有な情報としては、バス１０がいずれかの乗降地点に位置しているか、又は、いずれかの乗降地点とその次の乗降地点との間の地点（以降、途上地点ともいう）に位置しているかを識別可能な情報を用いることができる。位置に固有な情報を生成するために、固有情報生成部１２２は、記憶部１２４に格納された乗降地点リスト１２５を取得し、位置情報取得部１２１から取得した位置情報が、乗降地点リスト１２５のうちのいずれかの乗降地点であるか、又は、途上地点に位置しているかを判断する。なお、バス１０がある地点に位置しているという場合、バス１０が厳密に当該地点に位置している場合のほか、当該地点の近傍に位置している場合を含むものとする。ここで、近傍とは、人間から見てバス１０が当該地点にあると認識され得る距離範囲としてよく、例えば５ｍ〜１０ｍ程度とすることができる。
【００４９】
固有情報送信部１２３は、固有情報生成部１２２が生成した固有情報を可視光通信により端末２０に送信する処理部である。固有情報送信部１２３は、ＣＰＵ１０１、ストレージ１０２、変調回路１０５及び光源１０６等により実現される。固有情報送信部１２３は、光送信部に相当する。
【００５０】
記憶部１２４は、乗降地点リスト１２５が格納される記憶装置である。乗降地点リスト１２５は、バス１０が停車し得る地点である乗降地点のリストである。記憶部１２４は、ストレージ１０２により実現される。
【００５１】
図５は、本実施の形態における端末２０の機能構成を示すブロック図である。図５に示されるように、端末２０は、受付部２１１と、固有情報受信部２１２と、停車地点取得部２１３と、判定部２１４と、提示部２１５とを備える。
【００５２】
受付部２１１は、ユーザＵ１がバス１０を降車する地点である降車地点を受け付ける処理部である。受付部２１１は、例えば、バス１０の乗降地点のリストをユーザＵ１に表示装置２０５により提示し、提示した乗降地点のうちユーザＵ１がバス１０を降車する地点として選択した地点を入力ＩＦ２０３により受け付ける。受付部２１１は、ＣＰＵ２０１、ストレージ２０２及び入力ＩＦ２０３等により実現される。
【００５３】
固有情報受信部２１２は、照明装置Ｌ１から可視光通信信号を受信する受信部である。具体的には、固有情報受信部２１２は、照明装置Ｌ１が送信する、固有情報を可視光通信信号として含む光を受信し、受信した光に可視光通信信号として含まれる固有情報を取得する。なお、固有情報受信部２１２は、ＣＰＵ２０１、ストレージ２０２及び受光装置２０６等により実現される。固有情報受信部２１２は、受信部に相当する。
【００５４】
停車地点取得部２１３は、固有情報受信部２１２が取得した固有情報から得られる、乗降地点のうち現時点以降にバス１０が停車する停車地点を取得する。停車地点取得部２１３は、例えば、バス１０の乗降地点のリストを保持しており、固有情報受信部２１２が取得した固有情報に基づいて、現時点以降にバス１０が停車する１個又は複数個の停車地点を取得する。停車地点取得部２１３は、ＣＰＵ２０１及びストレージ２０２等により実現される。停車地点取得部２１３は、取得部に相当する。
【００５５】
なお、端末２０は、サーバ装置を利用して上記停車地点を取得してもよい。具体的には、端末２０と通信可能に接続されたサーバ装置が上記リストを保持しており、停車地点取得部２１３が固有情報をサーバ装置に送信し、現時点以降にバス１０が停車する停車地点をサーバ装置が算出し、サーバ装置が算出した停車地点を端末２０が受信することで取得するようにしてもよい。
【００５６】
判定部２１４は、降車地点が停車地点に含まれているか否かを判定する処理部である。具体的には、判定部２１４は、停車地点が１個である場合には、この１個の停車地点と降車地点とが一致するときに、降車地点が停車地点に含まれていると判定する。また、判定部２１４は、停車地点が複数個である場合には、複数の停車地点のうちバス１０が次に停車する停車地点（次停車地点）と、降車地点とが一致するときに降車地点が停車地点に含まれていると判定してもよい。判定部２１４は、ＣＰＵ２０１及びストレージ２０２等により実現される。
【００５７】
提示部２１５は、降車地点が停車地点に含まれていると判定部２１４が判定すると、バス１０からの降車を案内する降車情報をユーザＵ１に提示する処理部である。提示部２１５は、降車情報を示す画像を生成することで、降車情報を画像として表示装置２０５に表示すること、降車情報を示す音声データを生成してスピーカ２０７により音声として出力すること、又は、降車情報を示す振動データを生成して振動モータ２０８により振動を発生させること等により降車情報をユーザＵ１に提示する。提示部２１５は、ＣＰＵ２０１、ストレージ２０２、表示装置２０５、スピーカ２０７及び振動モータ２０８等により実現される。
【００５８】
以上のように構成された照明装置Ｌ１及び端末２０の動作について以下で詳細に説明する。まず、バス１０の路線等、照明装置Ｌ１及び端末２０の動作の前提となる条件などについて説明する。
【００５９】
図６は、本実施の形態におけるバス１０の路線１２及び乗降地点の説明のための模式図である。
【００６０】
図６に示される路線１２は、バス１０が移動する路線である。路線１２上には、利用者がバス１０に乗降することができる乗降地点（バス停）として地点Ａ、Ｂ、Ｃ、Ｄ、Ｅ及びＦがある。バス１０は、地点Ａから地点Ｆに向けて路線１２上を移動するとともに、上記地点それぞれに順に停車して利用者を乗降させる。
【００６１】
以降では、ユーザＵ１は、バス１０に乗車しており、地点Ｅでバス１０を降車する予定であり、バス１０は、地点Ｂと地点Ｃとの間の地点に位置しているとする。また、停車地点取得部２１３は、１個の停車地点（つまり、バス１０が現時点以降で次に停車する停車地点）を取得する場合を例として説明する。
【００６２】
図７は、本実施の形態における照明装置Ｌ１の処理を示すフロー図である。図８は、本実施の形態における端末２０の処理を示すフロー図である。図９は、本実施の形態における乗降地点及び停車地点の説明図である。図１０は、本実施の形態における降車地点の説明図である。これらの図を参照しながら、照明装置Ｌ１及び端末２０の処理について説明する。
【００６３】
まず、照明装置Ｌ１の処理について説明する。
【００６４】
図７に示されるように、ステップＳ１０１において、固有情報生成部１２２は、乗降地点リストとしてのバス停リストを取得する。バス停リストは、路線上の乗降地点を示すものであり、図９の乗降地点９０１に示されるものである。ここで、固有情報生成部１２２は、バス１０の外部から通信回線及びＮＩＦ１０４を通じてバス停リストを取得してもよいし、予め取得され記憶部１２４に格納されたバス停リストを取得してもよい。
【００６５】
ステップＳ１０２において、位置情報取得部１２１は、バス１０の現在位置の位置情報を取得する。具体的には、位置情報取得部１２１は、バス１０の位置情報として、路線上における地点Ａと地点Ｂとの間の地点の位置情報を取得する。
【００６６】
ステップＳ１０３において、固有情報生成部１２２は、バス１０に固有の情報であり、かつ、バス１０の位置に固有の情報である固有情報を生成する。
【００６７】
ステップＳ１０４において、固有情報送信部１２３は、ステップＳ１０３で固有情報生成部１２２が生成した固有情報を可視光通信号として含む光を送信する（光送信ステップ）。なお、固有情報送信部１２３は、バス１０が途上地点に位置するときに限り上記光を送信するようにしてもよい。バス１０が乗降地点に停車しているときには、ユーザＵ１に対して、ユーザＵ１が降車する地点を提示する必要がないからである。また、バス停にバス１０が停車しているときにバス１０に乗車しすぐに降車する利用者の端末に対して上記光を送信することで当該端末が固有情報を受信したとしても、当該端末により適切に降車情報の提示を行うことができないためである。
【００６８】
次に、端末２０の処理について説明する。
【００６９】
図８に示されるように、ステップＳ２０１において、受付部２１１は、ユーザＵ１がバス１０を降車するバス停を降車地点として受け付ける（受付ステップ）。降車地点は、図１０の降車地点１００１に示されるように、地点Ｅである。
【００７０】
ステップＳ２０２において、固有情報受信部２１２は、照明装置Ｌ１から固有情報を可視光通信信号として含む光を受信し、受信した光から固有情報を取得する（受信ステップ）。
【００７１】
ステップＳ２０３において、停車地点取得部２１３は、ステップＳ２０２で取得した固有情報に基づいて、現時点以降に次にバス１０が停車するバス停を取得する（取得ステップ）。バス１０が次に停車するバス停は、図９の停車地点９０２に示されるように、地点Ｃである。
【００７２】
ステップＳ２０４において、判定部２１４は、降車地点が停車地点に含まれているか否かを判定する。具体的には、例えば、判定部２１４は、次に停車するバス停と、ユーザＵ１がバス１０を降車するバス停とが一致するか否かを判定する。
【００７３】
ステップＳ２０４においてバス１０が次に停車するバス停と、ユーザＵ１がバス１０を降車するバス停とが一致すると判定された場合（ステップＳ２０４でＹｅｓ）、ステップＳ２０５に進み、一致しないと判定された場合（ステップＳ２０４でＮｏ）、ステップＳ２０２に進む。
【００７４】
具体的には、例えば、図６に示されるようにバス１０が地点Ｂと地点Ｃとの間に位置しているときには、バス１０が次に停車するバス停である地点Ｃが、降車地点である地点Ｅと一致しないので、ステップＳ２０２に進む。また、例えば、バス１０が地点Ｄと地点Ｅとの間に位置しているとき（不図示）には、バス１０が次に停車するバス停である地点Ｅが、降車地点である地点Ｅと一致するので、ステップＳ２０５に進む。
【００７５】
ステップＳ２０５において、提示部２１５は、バス１０からの降車をユーザＵ１に案内する降車情報１１０１をユーザＵ１に提示する。提示部２１５は、例えば、図１１に示されるように、表示装置２０５に降車情報１１０１を画像として表示させることでユーザＵ１への提示を行う。
【００７６】
以上の一連の処理により、情報提示システム１は、ユーザＵ１に対して降車地点を適切に提示することができる。また、情報提示システム１は、可視光通信により、固有情報を照明装置Ｌ１から端末２０へ送信するので、端末２０に固有情報を受信させるとともに、バス１０の外へ固有情報が漏洩することを抑制することができる利点がある。
【００７７】
以上のように、本実施の形態にかかる情報提示方法は、所定の乗降地点で停車する移動体１０に乗車しているユーザＵ１への情報提示方法であって、移動体１０に固有の情報であり、かつ、移動体１０の位置に固有の情報である固有情報を可視光通信信号として含む光を、移動体１０に搭載された照明装置Ｌ１により移動体１０の乗車空間１１に向けて送信する光送信ステップと、光送信ステップで送信された光を乗車空間１１内で、ユーザＵ１が保有する端末２０により受信し、受信した光に含まれる固有情報を取得する受信ステップと、取得された固有情報から得られる、所定の乗降地点のうち現時点以降に移動体１０が停車する停車地点を取得する取得ステップと、ユーザＵ１が移動体１０を降車する地点である降車地点を受け付ける受付ステップと、降車地点が停車地点に含まれているか否かを判定する判定ステップと、降車地点が停車地点に含まれていると判定ステップで判定されると、移動体１０からの降車を案内する降車情報を端末２０によりユーザＵ１に提示する提示ステップとを含む。
【００７８】
これによれば、情報提示システム１は、バス１０に固有で、かつ、バス１０の位置に固有の固有情報に基づいて、降車情報を端末２０によりユーザＵ１に適切に提示する。ユーザＵ１は、上記提示に基づいて、バス１０を降車することができる。特に、バス１０内における可視光通信により固有情報が送信及び受信されるので、バス１０内における端末２０に固有情報が受信されるとともに、バス１０外に固有情報が漏洩することを抑制することができる。よって、情報提示システム１は、降車に関する情報を搭乗者に適切に提示することができる。
【００７９】
また、取得ステップでは、停車地点のうち現時点以降に最初に移動体１０が停車する次停車地点を取得し、判定ステップでは、次停車地点と降車地点とが一致するか否かを判定してもよい。
【００８０】
これによれば、情報提示システム１は、バス１０が次に停車する乗降地点が、ユーザＵ１が降車すべきバス停であるときに降車情報を提示する。ユーザＵ１は、上記提示に基づいて、より適切にバス１０を降車することができる。
【００８１】
また、光送信ステップでは、移動体１０の路線上であって、所定の乗降地点とは異なる地点に移動体１０が位置しているときに限り、光を送信してもよい。
【００８２】
これによれば、情報提示システム１は、停車地点にバス１０が停車しているときに固有情報を送信することがなくなる。よって、情報提示システム１は、停車地点に停車しているバス１０に利用者が乗車しすぐに降車した場合、当該利用者の端末が固有情報を受信することを防ぐことができる。
【００８３】
（実施の形態２）
本実施の形態において、降車に関する情報を搭乗者に適切に提示することができる情報提示システム及び情報提示方法において、さらに、搭乗者に対して特典を付与する技術について説明する。なお、実施の形態１におけるものと同一の構成要素については同一の符号を付し、詳細な説明を省略することがある。
【００８４】
図１２は、本実施の形態における情報提示システム２を示す概念図である。
【００８５】
図１２に示されるように、情報提示システム２は、バス１０の乗車空間１１内に設置された照明装置Ｌ１と、端末２０Ａと、サーバ３０とを備える。端末２０Ａとサーバ３０とは、ネットワーク４０を介して通信可能に接続されている。
【００８６】
端末２０Ａは、実施の形態１における端末２０と同様の機能を有するとともに、照明装置Ｌ１から受信した固有情報をサーバ３０に送信し、サーバ３０から受信する特典情報をユーザＵ１に提示する。
【００８７】
サーバ３０は、端末２０Ａに特典情報を送信するサーバ装置である。サーバ３０は、端末２０Ａから固有情報を受信し、受信した固有情報が真正である場合に端末２０Ａに特典情報を送信する。
【００８８】
ネットワーク４０は、端末２０Ａとサーバ３０とを通信可能に接続するネットワークであり、ＬＡＮ（Ｌｏｃａｌ  Ａｒｅａ  Ｎｅｔｗｏｒｋ）、携帯電話回線網、及び、インターネットなどを含んで構成される。
【００８９】
図１３は、本実施の形態における端末２０Ａの機能構成を示すブロック図である。
【００９０】
図１３に示されるように、端末２０Ａは、受付部２１１と、固有情報受信部２１２と、停車地点取得部２１３と、判定部２１４と、提示部２１５Ａと、固有情報送信部２２１と、特典受信部２２２とを備える。なお、端末２０Ａが備える機能ブロックのうち、実施の形態１の端末２０におけるものと同一であるものは同一の符号を付し詳細な説明を省略する。
【００９１】
固有情報送信部２２１は、固有情報受信部２１２が照明装置Ｌ１から受信した固有情報をサーバ３０に送信する処理部である。固有情報送信部２２１は、上記固有情報をサーバ３０に送信する場合には、上記固有情報とともに、受付部２１１が受け付けた降車地点をサーバ３０に送信する。
【００９２】
なお、端末２０Ａの固有情報受信部２１２が照明装置Ｌ１から受信した固有情報には、当該固有情報の真正性を判定するための署名情報が付与されているとする。ここで、真正性とは、当該固有情報が確かに固有情報生成部１２２が生成した固有情報であること、言い換えれば、固有情報生成部１２２と異なる第三者により生成又は改ざんされたものでないことを意味する。
【００９３】
特典受信部２２２は、サーバ３０から特典情報を受信する処理部である。特典受信部２２２が受信する特典情報は、固有情報送信部２２１が送信した固有情報と降車地点とに基づきサーバ３０によりなされる真正性についての判定の結果に応じて送信されるものである。
【００９４】
提示部２１５Ａは、特典受信部２２２が受信した特典情報を、ユーザＵ１に提示する、又は、使用する処理部である。また、提示部２１５Ａは、実施の形態１における提示部２１５と同様に、バス１０からの降車を案内する降車情報をユーザＵ１に提示する。
【００９５】
図１４は、本実施の形態におけるサーバ３０の機能構成を示すブロック図である。
【００９６】
図１４に示されるように、サーバ３０は、保持部３１１と、固有情報受信部３１２と、判定部３１３と、特典送信部３１４とを備える。
【００９７】
保持部３１１は、バス１０が停車する所定の乗降地点に対応付けられた特典情報を保持している保持部（記憶装置）である。所定の乗降地点に対応付けられた特典情報とは、例えば、当該乗降地点が最寄りのバス停である店舗の広告情報、又は、権限を有する者のみによる領域への入場を許可するゲートを通過して当該領域へ入場するための認証情報等がある。
【００９８】
固有情報受信部３１２は、移動しているバス１０に固有の情報であり、かつ、バス１０の位置に固有の情報である固有情報と、ユーザＵ１がバス１０を降車する地点である降車地点とを受信する処理部である。固有情報受信部３１２は、端末２０Ａの固有情報送信部２２１から、上記固有情報と上記降車地点とを受信する。
【００９９】
判定部３１３は、固有情報受信部３１２が受信した固有情報の真正性を判定する処理部である。固有情報の真正性を判定する方法には、従来あるさまざまな技術を用いることができる。判定部３１３は、例えば、固有情報に付与された署名情報に基づいて、真正性を判定することができる。
【０１００】
特典送信部３１４は、固有情報が真正であると判定部３１３が判定すると、保持部３１１が保持している特典情報のうち、固有情報受信部３１２が受信した降車地点に対応付けられた特典情報を送信する処理部である。
【０１０１】
以上のように構成された端末２０Ａ及びサーバ３０の動作について以下で詳細に説明する。
【０１０２】
図１５は、本実施の形態における端末２０Ａの処理を示すフロー図である。
【０１０３】
ステップＳ３０１において、受付部２１１は、ユーザＵ１がバス１０を降車するバス停を降車地点として受け付ける。
【０１０４】
ステップＳ３０２において、固有情報受信部２１２は、照明装置Ｌ１から可視光通信信号として固有情報を含む光を受信し、受信した光から固有情報を取得する。
【０１０５】
ステップＳ３０３において、固有情報送信部２２１は、ステップＳ３０１で受け付けた降車地点と、ステップＳ３０２で取得した固有情報とをサーバ３０に送信する（地点送信ステップ）。
【０１０６】
ステップＳ３０４において、特典受信部２２２は、サーバ３０から特典情報を受信する（特典受信ステップ）。特典受信部２２２が受信する特典情報は、ステップＳ３０３で固有情報送信部２２１が送信した降車地点と固有情報とに基づいてサーバ３０が端末２０Ａに対して送信したものである。
【０１０７】
ステップＳ３０５において、提示部２１５Ａは、ステップＳ３０４で受信した特典情報を提示又は使用する（提示ステップ）。特典情報を提示又は使用する態様については、後で例を挙げて説明する。
【０１０８】
図１６は、本実施の形態におけるサーバ３０の処理を示すフロー図である。
【０１０９】
ステップＳ４０１において、固有情報受信部３１２は、ユーザＵ１が降車する降車地点としてのバス停と、固有情報とを、端末２０Ａから受信する。上記降車地点と固有情報とは、ステップＳ３０３で端末２０Ａの固有情報送信部２２１が送信するものである。
【０１１０】
ステップＳ４０２において、判定部３１３は、ステップＳ４０１で受信した固有情報の真正性を判定する（真正性判定ステップ）。具体的には、判定部３１３は、ステップＳ４０１で受信した固有情報が、照明装置Ｌ１が生成し送信した固有情報であるか否かを判定する。
【０１１１】
ステップＳ４０３において、ステップＳ４０２での判定結果に応じて処理を分岐する。ステップＳ４０２で固有情報が真正であると判定された場合（ステップＳ４０３でＹｅｓ）、ステップＳ４０４に進む。一方、固有情報が真正でないと判定された場合（ステップＳ４０３でＮｏ）、ステップＳ４０５に進む。
【０１１２】
ステップＳ４０４において、特典送信部３１４は、端末２０Ａに特典情報を送信する。
【０１１３】
ステップＳ４０５において、判定部３１３は、固有情報が真正でないことを端末２０Ａに通知する。なお、ステップＳ４０５は、必須の構成要素ではなく、必ずしも行われなくてもよい。
【０１１４】
以降において、特典情報の２つの具体例を説明する。特典情報の第一例は広告情報（いわゆるクーポン）であり、第二例は認証情報である。
【０１１５】
図１７は、本実施の形態における特典情報の第一例である広告情報１７０１の提示の一例を示す説明図である。
【０１１６】
図１７に示される特典情報としての広告情報１７０１は、端末２０Ａの表示装置２０５に表示される広告情報であって、例えば、ユーザＵ１が降車するバス停を最寄りのバス停とする店舗であるＡショップにおいて、ユーザＵ１が定価より安く商品を購入することができることを示す広告情報である。
【０１１７】
ユーザＵ１は、広告情報１７０１を視認することで、Ａショップで商品を購入する動機付けを得る。また、Ａショップで商品を購入する際に広告情報１７０１をＡショップの販売員に見せることで定価より安く商品を購入する、というように用いることもできる。
【０１１８】
図１８は、本実施の形態における特典情報の第二例である認証情報１８０１の利用方法を示す概念図である。
【０１１９】
図１８に示される特典情報としての認証情報１８０１は、端末２０Ａのストレージ２０２に格納される情報であって、権限を有する者のみが入場を許可される領域１８１１へ入場するためのゲート５０を通過するための認証情報である。
【０１２０】
ゲート５０は、ネットワーク４０を介して認証サーバ６０に通信可能に接続されている。ゲート５０は、端末２０ＡからＮＦＣポート５１を用いた近接無線通信により認証情報１８０１を取得し、取得した認証情報１８０１について認証サーバ６０による認証結果を取得することで、フラッパ５２を開閉させる。
【０１２１】
具体的には、ユーザＵ１が認証情報１８０１を有する端末２０ＡのＮＦＣポート２０９をゲート５０のＮＦＣポート５１に近接させると、ゲート５０がフラッパ５２を開き、ユーザＵ１は、領域１８１１へ入場することができる。一方、ユーザＵ１が認証情報１８０１を有しない端末２０Ａをゲート５０のＮＦＣポート５１に近接させる、又は、ＮＦＣポート５１に何も近接させないと、ゲート５０は、フラッパ５２を閉じ、ユーザＵ１が領域１８１１へ入場することを妨げる。
【０１２２】
図１９は、本実施の形態における認証情報１８０１を利用する端末２０Ａの処理を示すフロー図である。
【０１２３】
ステップＳ５０１において、端末２０Ａは、認証用アプリケーションを起動する。認証用アプリケーションのプログラムは、端末２０Ａのストレージ２０２に予め格納されているものであってもよいし、所定のサーバ装置等から一時的にダウンロードしたものであってもよい。
【０１２４】
ステップＳ５０２において、端末２０Ａがゲート５０のＮＦＣポート５１に近接されたことを契機として、端末２０Ａは、認証用アプリケーションの機能によりゲート５０に認証情報１８０１を送信する。
【０１２５】
図２０は、本実施の形態における認証情報１８０１を利用するゲート５０及び認証サーバ６０の処理を示すフロー図である。
【０１２６】
ステップＳ６０１において、ゲート５０は、ＮＦＣポート５１を通じて端末２０Ａより認証情報１８０１を受信する。ここで受信する認証情報１８０１は、端末２０ＡがステップＳ５０２で送信した認証情報である。
【０１２７】
ステップＳ６０２において、ゲート５０は、ステップＳ６０１で受信した認証情報１８０１を認証サーバ６０に送信する。
【０１２８】
ステップＳ６０３において、認証サーバ６０は、ゲート５０から認証情報１８０１を受信する。ここで受信する認証情報１８０１は、ステップＳ６０２でゲート５０が送信した認証情報１８０１である。
【０１２９】
ステップＳ６０４において、認証サーバ６０は、認証情報１８０１を用いて認証処理を行う。この認証処理では、認証情報１８０１が領域１８１１へ入場する権限を有する者の認証情報であるか否かが判定される。認証処理により、認証情報１８０１が領域１８１１へ入場する権限を有する者の認証情報であると判定された場合には、認証サーバ６０は、認証が成功したという認証結果を生成する。一方、認証処理により、認証情報１８０１が領域１８１１へ入場する権限を有する者の認証情報でないと判定された場合には、認証サーバ６０は、認証が失敗したという認証結果を生成する。
【０１３０】
ステップＳ６０５において、認証サーバ６０は、ステップＳ６０５での認証結果をゲート５０に送信する。
【０１３１】
ステップＳ６０６において、ゲート５０は、認証サーバ６０がステップＳ６０５で送信した認証結果を受信する。
【０１３２】
ステップＳ６０７において、ゲート５０は、認証が成功したことを認証結果が示している場合（ステップＳ６０７でＹｅｓ）には、ステップＳ６０８に進む。一方、認証が失敗したことを認証結果が示している場合（ステップＳ６０７でＮｏ）には、ステップＳ６０９に進む。
【０１３３】
ステップＳ６０８において、ゲート５０は、フラッパ５２を開く。これにより、ユーザＵ１は、ゲート５０を通過して領域１８１１へ入場することができる。
【０１３４】
ステップＳ６０９において、ゲート５０は、フラッパ５２を閉じる。これにより、ゲート５０は、ユーザＵ１がゲート５０を通過して領域１８１１へ入場することを妨げることができる。
【０１３５】
以上の一連の処理により、ゲート５０は、特定情報としての認証情報１８０１を有する端末２０Ａを保有するユーザＵ１のみを領域１８１１に入場させることができる。
【０１３６】
なお、サーバ３０は、固有情報受信部３１２が受信した固有情報及び降車地点を用いてバス１０の利用者、つまり、複数のユーザＵ１の行動分析を行い、その分析結果を外部に提供することも可能である。すなわち、複数のユーザＵ１の端末２０Ａそれぞれから固有情報受信部３１２が降車地点を受信すると、受信した複数の降車地点を分析することで上記利用者がバス１０を降車する降車地点、降車時刻及び降車人数を推定することができる。上記分析結果の提供を受けた者は、上記降車時刻及び上記降車場所において、上記利用者が何らかのサービスを提供するというように、上記行動分析結果を利用することができる。
【０１３７】
以上のように、本実施の形態にかかる情報提示方法は、所定の乗降地点で停車する移動体１０に乗車しているユーザＵ１への情報提示方法であって、移動体１０に固有の情報であり、かつ、移動体１０の位置に固有の情報である固有情報を可視光通信信号として含む光を、移動体１０に搭載された照明装置Ｌ１により移動体１０の乗車空間１１に向けて送信する光送信ステップと、光送信ステップで送信された光を乗車空間１１内で、ユーザＵ１が保有する端末２０Ａにより受信し、受信した光に含まれる固有情報を取得する受信ステップと、取得された固有情報から得られる、所定の乗降地点のうち現時点以降に移動体１０が停車する停車地点を取得する取得ステップと、ユーザＵ１が移動体１０を降車する地点である降車地点を受け付ける受付ステップと、降車地点が停車地点に含まれているか否かを判定する判定ステップと、降車地点が停車地点に含まれていると判定ステップで判定されると、移動体１０からの降車を案内する降車情報を端末２０ＡによりユーザＵ１に提示する提示ステップとを含む。
【０１３８】
また、情報提示方法は、さらに、予め所定の乗降地点に対応付けられた特典情報を保持しているサーバ３０に、受信ステップで取得した固有情報と受付ステップで受け付けた降車地点とを送信する地点送信ステップと、地点送信ステップで送信された固有情報の真正性を判定する真正性判定ステップと、真正性判定ステップで固有情報が真正であると判定されると、サーバ３０が保持している特典情報のうち、地点送信ステップで送信した降車地点に対応付けられた特典情報をサーバ３０から受信する特典受信ステップとを含み、提示ステップでは、降車情報とともに、特典受信ステップで受信した特典情報をユーザＵ１に提示してもよい。
【０１３９】
これによれば、情報提示システム２は、ユーザＵ１がバス１０を降車する地点に対応した特典情報をユーザＵ１に提示する。ユーザＵ１は、降車情報の提示を受けるとともに、特典情報の提示を受けることができ、利便性が高まる。
【０１４０】
また、ユーザＵ１は、複数のユーザＵ１を含み、受付ステップでは、複数のユーザＵ１それぞれが移動体１０を降車する降車地点である複数の降車地点を受け付け、受信ステップでは、複数のユーザＵ１それぞれが保有する端末２０Ａにより光送信ステップで送信された光に含まれる固有情報である複数の固有情報を取得し、地点送信ステップでは、サーバ３０に、受信ステップで取得した複数の固有情報と、受付ステップで受け付けた複数の降車地点とを送信し、情報提示方法は、さらに、送信された複数の降車地点を分析することで、所定の乗降地点におけるユーザＵ１の降車時刻及び降車人数を推定する分析ステップと、分析ステップで推定した降車時刻及び降車人数を出力する出力ステップとを含んでもよい。
【０１４１】
これによれば、情報提示システム２から所定の乗降地点の降車時刻及び降車人数の出力を受けた者は、将来どこでどの程度の人数のユーザＵ１がバス１０を降車するかという情報を得ることができ、この情報に応じた適切な行動をとることができる利点がある。
【０１４２】
また、本実施の形態にかかるサーバ３０は、移動体１０が停車する所定の乗降地点に対応付けられた特典情報を保持している保持部３１１と、移動体１０に固有の情報であり、かつ、移動体１０の位置に固有の情報である固有情報と、ユーザＵ１が移動体１０を降車する地点である降車地点とを受信する固有情報受信部３１２と、固有情報受信部３１２が受信した固有情報の真正性を判定する判定部３１３と、固有情報が真正であると判定部３１３が判定すると、特典情報のうち、固有情報受信部３１２が受信した降車地点に対応付けられた特典情報を送信する特典送信部３１４とを備える。
【０１４３】
（実施の形態３）
本実施の形態において、降車に関する情報を搭乗者に適切に提示することができる情報提示システム及び情報提示方法において、さらに、複数の照明装置により適切に搭乗者に対して固有情報を送信する技術について説明する。なお、本実施の形態は、上記に限られず、複数の照明装置により適切に端末に所定の情報を提示するシステムとして実現することも可能である。なお、上記各実施の形態におけるものと同一の構成要素については同一の符号を付し、詳細な説明を省略することがある。
【０１４４】
まず、上記各実施の形態における情報提示システムにより生ずる事象について説明する。
【０１４５】
バス１０の乗車空間１１は、一般に、数十人の利用者が乗車するのに十分な程度の広さを有する（図１参照）。よって、乗車空間１１の全体を充分な明るさで照明するためには、一台の照明装置Ｌ１だけでは不十分であり、複数の照明装置を要することがある。
【０１４６】
そこで、上記各実施の形態における乗車空間１１に複数の照明装置を単に設置するとすれば、複数の照明装置それぞれが可視光通信信号を含む光を送信することになる。端末２０は、複数の照明装置それぞれが送信した光を受信する。このとき端末２０が受信する光の振幅は、複数の照明装置それぞれが送信した光の振幅を合計したものになる。一般に、複数の照明装置それぞれが送信した光の位相は互いにずれているので、受信した光から、各照明装置が送信した可視光通信信号を分離して取得することは困難である。
【０１４７】
このように、複数の照明装置それぞれが可視光通信信号を含む光を送信する場合、端末２０は、各照明装置が送信した可視光通信信号を取得することができないという事象が生ずる。本実施の形態における情報提示システムによれば、複数の照明装置それぞれが可視光通信信号を含む光のタイミングを調整することで、端末２０が適切に可視光通信信号を取得することができる。
【０１４８】
以降において、本実施の形態における情報提示システムについて説明する。
【０１４９】
図２１は、本実施の形態における情報提示システム３を示す概念図である。
【０１５０】
図２１に示されるように、情報提示システム３は、バス１０の乗車空間１１に設置された複数の照明装置Ｌ２、Ｌ３、Ｌ４及びＬ５（以降、照明装置Ｌ２等ともいう）と、同期装置７０と、端末２０とを備える。
【０１５１】
複数の照明装置Ｌ２等のそれぞれは、実施の形態１における照明装置Ｌ１と同様、可視光通信用の照明装置であり、可視光通信信号を含む光を乗車空間１１内に向けて照射する。複数の照明装置Ｌ２等のそれぞれが照射する光は、実施の形態１における照明装置Ｌ１と同様のものであるが、その照射タイミングは、同期装置７０が送信するビーコン７５に基づいて制御される。
【０１５２】
同期装置７０は、複数の照明装置Ｌ２等のそれぞれの照射タイミングを決定する基準となるビーコン７５を送信する、複数の照明装置Ｌ２等の同期のための装置である。同期装置７０は、複数の照明装置Ｌ２等が配置された空間において、電波によりビーコン７５を送信する。以降では、同期装置７０が複数の照明装置Ｌ２等と別体として設けられる場合を例として説明するが、複数の照明装置Ｌ２等のうちの一部の照明装置が同期装置７０の機能を有するように構成されてもよい。
【０１５３】
次に、同期装置７０及び照明装置Ｌ２の詳細な構成について説明する。
【０１５４】
図２２Ａは、本実施の形態における同期装置７０のハードウェア構成を示すブロック図である。図２２Ｂは、本実施の形態における同期装置７０の無線制御マイコン７０２のハードウェア構成を示すブロック図である。図２３は、本実施の形態におけるビーコン７５内に記述される情報を示す説明図である。
【０１５５】
図２２Ａに示されるように、同期装置７０は、電源回路７０１と、無線制御マイコン７０２と、無線用ＩＣ７０３と、アンテナフィルタ７０４とを備える。
【０１５６】
電源回路７０１は、無線制御マイコン７０２及び無線用ＩＣ７０３を駆動するための電力を供給する電源回路である。
【０１５７】
無線制御マイコン７０２は、ビーコン７５の原信号を生成し、無線用ＩＣ７０３に提供するマイコンである。無線制御マイコン７０２は、ビーコン送信部７１１とクロック生成部７１２とを備える（図２２Ｂ）。ビーコン送信部７１１は、複数の照明装置Ｌ２等が固有情報を含む光を送信するタイミングを規定するためのビーコン７５の原信号を生成し、無線用ＩＣ７０３に提供する処理部である。無線制御マイコン７０２は、クロック生成部７１２が生成するクロック信号を取得し、取得したクロック信号に基づいて上記原信号を一定周期で繰り返し生成する。この一定周期は、例えば、３０秒周期とすることができる。３０秒周期とすることで、連続出力可能な時間と、その１時間当たりの積算時間についての電波法上の規定を満足することができる。
【０１５８】
クロック生成部７１２は、クロック信号を一定周期で生成しビーコン送信部７１１に提供する処理部である。
【０１５９】
ビーコン７５は、図２３に示されるように、プリアンブル、データ及びＣＲＣ（Ｃｙｃｌｉｃ  Ｒｅｄｕｎｄａｎｃｙ  Ｃｈｅｃｋ）の各フィールドを有する。プリアンブルは、送信される信号の先頭部分に配置されるものとして予め定められたパターンのビット列である。データは、このビーコン７５が運ぶ情報を含む部分であり、この信号がビーコン７５であることを示す識別子が含まれている。ＣＲＣは、誤り訂正のための情報である。
【０１６０】
無線用ＩＣ７０３は、無線制御マイコン７０２からビーコン７５の原信号を取得し、アンテナフィルタ７０４を用いてビーコン７５を電波により送信する回路である。
【０１６１】
アンテナフィルタ７０４は、無線用ＩＣ７０３が送信する信号を電波として周囲へ送信するアンテナ回路及びバンドパスフィルタである。ビーコン７５は、例えば、特定小電力無線により送信される。ただし、無線通信の規格は、上記に限られない。
【０１６２】
図２４は、本実施の形態における照明装置Ｌ２のハードウェア構成を示すブロック図である。図２５は、本実施の形態における照明装置Ｌ２の詳細なハードウェア構成を示すブロック図である。なお、照明装置Ｌ３、Ｌ４及びＬ５それぞれも、照明装置Ｌ２と同様のハードウェア構成を備える。
【０１６３】
図２４に示されるように、照明装置Ｌ２は、電源部１００と、変調回路１０５と、光源１０６とを備える。
【０１６４】
電源部１００は、外部電源から電力供給を受け、変調回路１０５及び光源１０６等に電力を供給する電源回路である。電源部１００は、ＰＦＣ（Ｐｏｗｅｒ  Ｆａｃｔｏｒ  Ｃｏｒｒｅｃｔｉｏｎ）回路（力率改善回路）と、ＬＥＤ定電流回路とにより定電流を生成するとともに、生成される定電流の電流量を制御部により調整する。
【０１６５】
変調回路１０５は、光源１０６に供給する電流の電流値Ｉを変調することで、光源１０６が照射する光の振幅を変調する変調回路である。変調回路１０５は、制御用電源１０７と、無線通信部１０９と、可視光通信制御マイコン１１０とを備える。
【０１６６】
制御用電源１０７は、電源部１００から電力供給を受け、変調回路１０５内の回路及びマイコン等に電力を供給する電源回路（より具体的には、ＤＣ／ＤＣ変換器）である。
【０１６７】
無線通信部１０９は、無線信号を受信する（又は送受信する）無線インタフェースである。具体的には、無線通信部１０９は、同期装置７０が送信するビーコン７５を受信する。
【０１６８】
無線通信部１０９は、アンテナフィルタ１３１と、無線用ＩＣ１３２と、無線制御マイコン１０８とを備える（図２５）。アンテナフィルタ１３１は、無線用ＩＣ１３２が送信する信号を電波として周囲へ送信するアンテナ回路及びバンドパスフィルタである。無線用ＩＣ１３２は、アンテナフィルタ１３１を介して受信したビーコン７５を無線制御マイコン１０８に提供する回路である。
【０１６９】
無線制御マイコン１０８は、無線用ＩＣ１３２が受信したビーコン７５を取得し、取得したビーコン７５に基づいて可視光通信制御マイコン１１０を制御するマイコンである。
【０１７０】
無線制御マイコン１０８は、ビーコン受信部１３３を備える。ビーコン受信部１３３は、無線ＩＦ１０８からビーコン７５を取得し、取得したビーコン７５がエラーなく受信できたか否かをＣＲＣにより検証し、ビーコン７５がエラーなく受信できたものである場合に、可視光通信制御マイコン１１０に同期信号を送信する。
【０１７１】
可視光通信制御マイコン１１０は、光源１０６に供給する電流の電流値を変調するためのマイコンである。可視光通信制御マイコン１１０は、信号生成部１３５と、記憶部１３６と、クロック生成部１３７と、回路駆動部１３８とを備える。
【０１７２】
信号生成部１３５は、可視光通信により送信する信号の原信号を生成する処理部である。
【０１７３】
記憶部１３６は、照明装置Ｌ２が属するグループを示すグループ識別子、及び、グループ識別子に対応付けられたタイムスロットを記憶している記憶装置である。グループ識別子は、一のグループを他のグループから識別できるものであればどんなものでもよい。ここでは、グループ識別子を、「Ａ」、「Ｂ」、「Ｃ」及び「Ｄ」とし、グループ識別子「Ａ」で識別されるグループをグループＡと呼ぶことにする。他のグループについても同様とする。なお、１つのグループには、１以上の照明装置が属し得る。
【０１７４】
また、タイムスロットは、当該タイムスロットに対応付けられたグループに属する照明装置が可視光通信信号を含む光を送信する期間を示す情報である。タイムスロットについては、例えば、グループＡが可視光通信信号を含む光を送信するタイムスロットを、基準時刻から時間幅Ｔｆの期間とし、グループＢが可視光通信信号を含む光を送信するタイムスロットを、上記時間幅Ｔｆの後の時間幅Ｔｆの期間とすることができる。グループＣ及びＤについても同様に、順次、時間幅Ｔｆの期間とすることができる。
【０１７５】
以降では、照明装置Ｌ２がグループ識別子「Ａ」で示されるグループＡに属しており、同様に、照明装置Ｌ３、Ｌ４及びＬ５が、それぞれ、グループ識別子「Ｂ」、「Ｃ」及び「Ｄ」で示されるグループＢ、Ｃ及びＤに属している場合を例として説明する。
【０１７６】
クロック生成部１３７は、可視光通信制御マイコン１１０の動作に必要なクロックを生成する処理部である。
【０１７７】
信号生成部１３５は、クロック生成部１３７が生成するクロックと、記憶部１３６が記憶しているグループ識別子を用いて、適切なタイミングで原信号を生成する。
【０１７８】
回路駆動部１３８は、信号生成部１３５が生成する原信号を取得し、取得した原信号の振幅に応じた電圧をＦＥＴＱに印加することで、光源１０６に流れる電流の電流値Ｉを制御する駆動回路である。
【０１７９】
なお、無線制御マイコン１０８は、さらに、ビーコン送信部１３３Ａと、クロック生成部１３４とを備えてもよい。ビーコン送信部１３３Ａとクロック生成部１３４とは、それぞれ、無線制御マイコン７０２のビーコン送信部７１１とクロック生成部７１２と同じ機能を有するものである。この場合、ビーコン送信部１３３Ａがビーコン７５Ａの原信号を生成し、無線用ＩＣ１３２及びアンテナフィルタ１３１を用いてビーコン７５Ａを送信することで、照明装置Ｌ２が同期装置７０として機能することができる。
【０１８０】
以上のように構成された同期装置７０と照明装置Ｌ２等との処理について以降で説明する。
【０１８１】
図２６は、本実施の形態における同期装置７０による電波ビーコンの送信と、照明装置Ｌ２等による可視光通信信号の送信との処理を示すフロー図である。図２７は、本実施の形態における照明装置Ｌ２等による情報送信のタイミングを示すタイミング図である。図２７において、「ＲＦ」とは、無線信号を意味し、「ＶＬＣ」とは可視光通信信号を意味する。
【０１８２】
ステップＳ７０１において、同期装置７０は、ビーコン７５Ａを送信する。ビーコン７５Ａは、上記説明におけるビーコン７５に相当する。後述するビーコン７５Ｂ及び７５Ｃも同様である。その後、同期装置７０は、同様に所定時間経過するまで待機し、順次、ビーコン７５Ｂ及び７５Ｃを送信する（ステップＳ７０２及びＳ７０３）。
【０１８３】
ステップＳ７１１において、照明装置Ｌ２は、同期装置７０からのビーコン７５を１回も受信していない状況である。この状況において、照明装置Ｌ２は、可視光通信信号を含む光を連続的に送信している。このような動作モードを連続送信モードともいう。また、照明装置Ｌ２は、同期装置７０からのビーコン７５を受信するための受信待ちを行う。
【０１８４】
ステップＳ７１２において、照明装置Ｌ２は、ビーコン７５Ａを受信する。
【０１８５】
ステップＳ７１３において、照明装置Ｌ２は、ステップＳ７１２でビーコン７５Ａを受信したことを契機として、動作モードを連続送信モードから同期送信モードに切り替える。同期送信モードとは、照明装置Ｌ２が、同期装置７０からビーコン７５を受信したことを契機として、ビーコン７５を受信した時刻から所定時間後の所定の期間のみに可視光通信信号を含む光を送信する動作モードである。そして、照明装置Ｌ２は、同期装置７０からの次のビーコン７５を受信するための受信待ちを行う。
【０１８６】
ステップＳ７１４において、照明装置Ｌ２は、ビーコン７５Ｂを受信する。
【０１８７】
ステップＳ７１５において、照明装置Ｌ２は、ステップＳ７１４においてビーコン７５Ｂを受信したことを契機として、ビーコン７５Ｂを受信した時刻を基準として定められるタイムスロットのみで可視光通信信号を含む光を送信する。具体的には、照明装置Ｌ２の無線通信部１０９がビーコン７５Ｂを受信したことを契機として、無線通信部１０９が可視光通信制御マイコン１１０に同期信号を送信する。そして、可視光通信制御マイコン１１０は、上記同期信号を受信し、記憶部１３６に記憶されているグループ識別子及びタイムスロットに基づいて可視光通信信号を含む光を送信するタイムスロットを決定し、決定したタイムスロットのみで回路駆動部１３８が光源１０６に流れる電流の電流値Ｉを変調する。その結果、照明装置Ｌ２等は、所属するグループごとに互いに異なる期間に、順次に可視光通信信号を含む光を送信する。
【０１８８】
ステップＳ７１６において、照明装置Ｌ２は、ビーコン７５Ｃを受信する。
【０１８９】
ステップＳ７１７において、照明装置Ｌ２は、ステップＳ７１６においてビーコン７５Ｃを受信したことを契機として、ビーコン７５Ｃを受信した時刻を基準として定められるタイムスロットのみで可視光通信信号を含む光を送信する。ステップＳ７１７の詳細な処理は、ステップＳ７１４と同様であるので詳細な説明を省略する。
【０１９０】
なお、図２７において、同期装置７０が１つのビーコン７５を送信することに起因して照明装置Ｌ２等が１つの同期信号を送信する場合を説明したが、ビーコン７５は、間欠的に送信されるものであってもよい。すなわち、同期装置７０は、図２７に示される電波ビーコンの間隔の１０倍程度の間隔でビーコン７５を送信するようにしてもよい。その場合、照明装置Ｌ２等は、ビーコン７５を受信した場合には、受信したビーコン７５を基準として同期信号を送信し、その後、ビーコン７５を受信しなくても繰り返し同期信号を送信するようにする。このようにすることで、同期装置７０の電力消費を削減することができる。これにより、同期装置７０は、系統電源等からの電力供給なしで、例えば乾電池により数年間駆動することも可能となる。
【０１９１】
なお、複数の照明装置Ｌ２等のうちの１以上の照明装置Ｌ２等は、さらに、ビーコン送信部１３３Ａを備えてもよい（図２５）。そして、上記１以上の照明装置Ｌ２等のそれぞれのビーコン送信部１３３Ａは、当該照明装置の外部からビーコン７５を所定時間受信しないときに、ビーコン７５の送信を開始する送信制御部１３３Ｂを備えてもよい。これにより、同期装置７０が故障しても、複数の照明装置のうちのいずれかが同期装置７０として動作することで、複数の照明装置それぞれが可視光通信信号を含む光のタイミングを調整することができる。
【０１９２】
なお、照明装置Ｌ２等は、端末２０が受信可能である端末用ビーコンを、ビーコン受信部１３３がビーコン７５を受信したタイミングに基づいて電波により送信する電波ビーコン送信部（不図示）を備えてもよい。端末用ビーコンとは、照明装置Ｌ２等それぞれに固有の情報を含む信号である。端末用ビーコンが送信される通信規格は、例えば、ＢＬＥ（Ｂｌｕｅｔｏｏｔｈ（登録商標）  Ｌｏｗ  Ｅｎｅｒｇｙ）であるが、上記規格に限定されない。
【０１９３】
以上のように、本実施の形態にかかる情報提示システム３は、所定の乗降地点で停車する移動体１０に乗車しているユーザＵ１への情報提示システム３であって、情報提示システム３は、移動体１０に搭載された照明装置Ｌ２等と、ユーザＵ１が保有する端末２０とを備え、照明装置Ｌ２等は、移動体１０に固有の情報であり、かつ、移動体１０の位置に固有の情報である固有情報を可視光通信信号として含む光を移動体１０の乗車空間１１に向けて送信する固有情報送信部１２３を備え、端末２０は、固有情報送信部１２３が送信した光を乗車空間１１内で受信し、受信した光に含まれる固有情報を取得する固有情報受信部２１２と、取得された固有情報から得られる、所定の乗降地点のうち現時点以降に移動体１０が停車する停車地点を取得する停車地点取得部２１３と、ユーザＵ１が移動体１０を降車する地点である降車地点を受け付ける受付部２１１と、停車地点と降車地点との比較により、移動体１０が降車地点に接近しているか否かを判定する判定部２１４と、移動体１０が降車地点に接近していると判定部２１４が判定すると、移動体１０が降車地点に接近していることを示す降車情報をユーザＵ１に提示する提示部２１５とを備える。
【０１９４】
また、情報提示システム３は、さらに、照明装置Ｌ２等が固有情報を含む光を送信するタイミングを規定するためのビーコン７５を照明装置Ｌ２等に送信するビーコン送信部７１１を備え、照明装置Ｌ２等は、光源１０６と、光源１０６を発光させるための電流を供給する電源部１００と、ビーコン送信部７１１からビーコン７５を受信するビーコン受信部１３３と、ビーコン受信部１３３がビーコン７５を受信したタイミングに基づいて光源１０６へ供給する電流の電流値を変調することで、光源１０６により可視光通信信号を含む光を送信させる変調回路１０５とを備える。
【０１９５】
これによれば、情報提示システム３は、同期装置７０が送信するビーコン７５に基づいて、照明装置が可視光通信信号を含む光を送信するタイミングを制御することができる。
【０１９６】
さらに、照明装置Ｌ２等は、複数のグループにグループ化された複数の照明装置Ｌ２等を含み、ビーコン送信部７１１は、複数のグループそれぞれに属する照明装置Ｌ２等に対してビーコン７５を送信してもよい。
【０１９７】
これによれば、情報提示システム３が複数の照明装置が備える場合に、複数の照明装置による可視光通信信号を含む光の送信を順次に行わせることができる。よって、情報提示システム３は、降車に関する情報を搭乗者により適切に提示することができる。
【０１９８】
さらに、複数の照明装置Ｌ２等のうちの１以上の照明装置Ｌ２等は、さらに、ビーコン送信部１３３Ａを備え、１以上の照明装置Ｌ２等のそれぞれは、さらに、照明装置Ｌ２等の外部からビーコン７５を所定時間受信しないときに、ビーコン送信部１３３Ａにビーコン７５の送信を開始させる送信制御部１３３Ｂを備えてもよい。
【０１９９】
これによれば、情報提示システム３におけるビーコン７５を送信すべき装置がビーコン７５の送信を停止した場合に、照明装置Ｌ２等のいずれかがビーコン７５の送信を開始することにより、適切に、複数の照明装置Ｌ２等による可視光通信信号を含む光の送信を順次に行わせることができる。
【０２００】
さらに、情報提示システム３は、さらに、照明装置Ｌ２等とは別体の同期装置７０であって、ビーコン送信部７１１を備える同期装置７０を備えてもよい。
【０２０１】
これによれば、情報提示システム３における照明装置Ｌ２等とは別体として設けられる同期装置７０により、複数の照明装置Ｌ２等による可視光通信信号を含む光の送信を順次に行わせることができる。
【０２０２】
さらに、照明装置Ｌ２等は、さらに、端末２０が受信可能である端末用ビーコンを、ビーコン受信部１３３がビーコン７５を受信したタイミングに基づいて電波により送信する電波ビーコン送信部を備えてもよい。
【０２０３】
これによれば、情報提示システム３における照明装置Ｌ２等は、端末２０に対して電波により所定の情報を送信することができる。これにより、端末２０が光を受けられない状況（例えば、ユーザＵ１の衣類の内側に存在する状況）においても、端末２０に情報を受信させることができる。
【０２０４】
（実施の形態３の変形例１）
本変形例では、実施の形態３の情報提示システム及び情報提示方法においてさらに、複数の照明装置間の同期をより確実に行わせる第一の技術について説明する。なお、上記各実施の形態におけるものと同一の構成要素については同一の符号を付し、詳細な説明を省略することがある。
【０２０５】
図２８は、本変形例における情報提示システム４を示す概念図である。
【０２０６】
図２８に示されるように情報提示システム４は、バス１０の乗車空間１１に設置された複数の照明装置Ｌ２Ａ、Ｌ３Ａ、Ｌ４及びＬ５と、同期装置７０と、端末２０とを備える。
【０２０７】
同期装置７０は、信号線８０により照明装置Ｌ２Ａ及びＬ３Ａと接続されており、信号線８０を通じてビーコン７６を照明装置Ｌ２Ａ及びＬ３Ａそれぞれに送信する。ビーコン７６は、電波ではなく、信号線８０を伝達される点でビーコン７５と異なるが、ビーコン７６に含まれる情報は、ビーコン７５に含まれる情報と同様である。また、同期装置７０は、実施の形態３と同様に、ビーコン７５を照明装置Ｌ４及びＬ５に対して送信する。
【０２０８】
一般に、電波により送信されるビーコン７５は、電波のノイズなどにより信号の一部又は全部が欠落し、照明装置Ｌ２等に正常に受信されないことがある。一方、信号線８０を通じて送信されるビーコン７６は、電波により送信されるビーコン７５と比較して信号の一部又は全部が欠落する可能性が低い。よって、情報提示システム４において、電波の代わりに信号線８０によりビーコン７６を送信することで、同期装置７０は、より確実にビーコン７６を照明装置に受信させることができる。
【０２０９】
（実施の形態３の変形例２）
本変形例では、実施の形態３の情報提示システム及び情報提示方法においてさらに、複数の照明装置間の同期をより確実に行わせる第二の技術について説明する。なお、上記各実施の形態におけるものと同一の構成要素については同一の符号を付し、詳細な説明を省略することがある。
【０２１０】
図２９は、本変形例における情報提示システム５を示す概念図である。
【０２１１】
図２９に示されるように情報提示システム５は、バス１０の乗車空間１１に設置された複数の照明装置Ｌ２、Ｌ３Ｂ、Ｌ４Ｂ及びＬ５Ｂと、同期装置７０と、端末２０とを備える。
【０２１２】
同期装置７０は、上記各実施の形態における同期装置７０と同じである。
【０２１３】
照明装置Ｌ３Ｂ、Ｌ４Ｂ及びＬ５Ｂは、信号線８１により通信可能に接続されている。そして、信号線８１に接続された照明装置のうちの照明装置Ｌ３Ｂは、同期装置７０から電波により受信したビーコン７５を、信号線８１にビーコン７６として送信する。照明装置Ｌ４Ｂ及びＬ５Ｂは、同期装置７０から電波によりビーコン７５を受信することができなくても、信号線８１からビーコン７６を受信することで、上記各実施の形態と同様の効果を奏する。
【０２１４】
よって、情報提示システム５において、照明装置Ｌ４Ｂ及びＬ５Ｂは、より確実にビーコン７６を受信することができる。
【０２１５】
なお、照明装置Ｌ３Ｂ等は、自装置の変調回路１０５が変調した後の電流値を示す信号を、信号線８１を通じて他の照明装置（照明装置Ｌ４Ｂ及びＬ５Ｂ）に送信してもよい。そして、上記他の照明装置の変調回路１０５は、送信された信号と同位相で電流値を変調するようにしてもよい。このようにすることで、信号線８１で接続された照明装置間で可視光通信信号の位相を一致させることができる。
【０２１６】
（実施の形態３の変形例３）
本変形例において、複数の照明装置により適切に端末に所定の情報を提示することができる情報提示システム及び情報提示方法を説明する。なお、上記各実施の形態におけるものと同一の構成要素については同一の符号を付し、詳細な説明を省略することがある。
【０２１７】
図３０は、本変形例における情報提示システム６を示す概念図である。図３０は、倉庫又はオフィスなどの空間において、複数の照明装置により所定の情報を端末２０に提示する情報提示システムを示している。
【０２１８】
図３０に示されるように情報提示システム６は、複数の照明装置ＬＡ、ＬＢ１、ＬＢ２、ＬＢ３、ＬＢ４、ＬＣ１、ＬＣ２、ＬＤ１、ＬＤ２と、同期装置７０と、端末２０とを備える。また、情報提示システム６が設置されている空間には、仕分棚が配置されており、照明光は仕分棚により遮られることがある。複数の照明装置ＬＡ等は、仕分棚等により照明光が遮られることを考慮して、この空間の概ね全範囲に照明光が照射されるように配置されている。
【０２１９】
照明装置ＬＡは、グループＡに属する照明装置である。照明装置ＬＢ１、ＬＢ２、ＬＢ３及びＬＢ４Ａは、グループＢに属する照明装置である。照明装置ＬＣ１及びＬＣ２は、グループＣに属する照明装置である。照明装置ＬＤ１及びＬＤ２は、グループＤに属する照明装置である。上記照明装置のそれぞれは、同期装置７０からビーコン７５を受信することで自装置が可視光通信信号を含む光を送信すべきタイムスロットを決定し、決定したタイムスロットにおいて可視光通信信号を含む光を送信する。このようにして、端末２０は、複数の照明装置から適切に可視光通信信号を受信することができる。
【０２２０】
以上のように、上記変形例にかかる情報提示システム６において、同期装置７０は、さらに、照明装置Ｌ２等と信号線８０により接続されており、ビーコン送信部７１１は、信号線８０により接続された照明装置Ｌ２等に信号線８０を通じてビーコン７６を送信してもよい。
【０２２１】
これによれば、同期装置７０は、信号線８０を通じてビーコン７６を送信することで、より確実にビーコン７６を照明装置Ｌ２等に受信させることができる。
【０２２２】
さらに、複数の照明装置Ｌ２等のうちの一の照明装置Ｌ２等は、さらに、複数の照明装置Ｌ２等のうちの他の照明装置Ｌ２等と信号線８１により接続されており、一の照明装置Ｌ２等は、ビーコン受信部１３３によりビーコン７５を受信すると、信号線８１を通じて他の照明装置Ｌ２等にビーコン７６を送信してもよい。
【０２２３】
これによれば、照明装置Ｌ２等は、同期装置７０からのビーコン７５を受信し、受信したビーコン７５を信号線８１を通じて他の照明装置に、ビーコン７６として送信することで、より確実にビーコン７６を照明装置Ｌ２等に受信させることができる。
【０２２４】
さらに、複数の照明装置Ｌ２等のうちの一の照明装置Ｌ２等は、さらに、複数の照明装置Ｌ２等のうちの他の照明装置Ｌ２等と信号線８１により接続されており、一の照明装置Ｌ２等は、変調回路１０５が変調した後の電流値を示す信号を、信号線８１を通じて他の照明装置Ｌ２等に送信し、他の照明装置Ｌ２等の変調回路１０５は、一の照明装置Ｌ２等から信号線８１を通じて受信した信号に基づいて、一の照明装置Ｌ２等と同位相で電流値を変調してもよい。
【０２２５】
これによれば、信号線８１により接続された照明装置間で可視光通信信号の位相を一致させ、複数の照明装置Ｌ２等が送信する位相がそろった可視光通信信号を端末２０に受信させることができる。
【０２２６】
（その他）
以上、本発明に係る情報提示システム及び情報提示方法について、上記実施の形態に基づいて説明したが、本発明は、上記の実施の形態に限定されるものではない。
【０２２７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０２２８】
１、２、３、４、５、６    情報提示システム
１０    バス（移動体）
１１    乗車空間
１２    路線
２０、２０Ａ    端末
３０    サーバ
７０    同期装置
７５、７５Ａ、７５Ｂ、７５Ｃ、７６    ビーコン
８０、８１    信号線
１００    電源部
１０５    変調回路
１０６    光源
１２３、２２１    固有情報送信部（光送信部）
１３３    ビーコン受信部
１３３Ａ、７１１    ビーコン送信部
１３３Ｂ    送信制御部
２１１    受付部
２１２    固有情報受信部（受信部）
３１２    固有情報受信部
２１３    停車地点取得部（取得部）
２１４、３１３    判定部
２１５、２１５Ａ    提示部
３１１    保持部
３１４    特典送信部
Ｌ１、Ｌ２、Ｌ２Ａ、Ｌ３、Ｌ３Ａ、Ｌ３Ｂ、Ｌ４、Ｌ４Ｂ、Ｌ５、Ｌ５Ｂ、ＬＡ、ＬＢ１、ＬＢ２、ＬＢ３、ＬＢ４、ＬＣ１、ＬＣ２、ＬＤ１、ＬＤ２    照明装置
Ｕ１    ユーザ（搭乗者）
【図１】
0006551785.tif 000002
【図２】
0006551785.tif 000003
【図３】
0006551785.tif 000004
【図４】
0006551785.tif 000005
【図５】
0006551785.tif 000006
【図６】
0006551785.tif 000007
【図７】
0006551785.tif 000008
【図８】
0006551785.tif 000009
【図９】
0006551785.tif 000010
【図１０】
0006551785.tif 000011
【図１１】
0006551785.tif 000012
【図１２】
0006551785.tif 000013
【図１３】
0006551785.tif 000014
【図１４】
0006551785.tif 000015
【図１５】
0006551785.tif 000016
【図１６】
0006551785.tif 000017
【図１７】
0006551785.tif 000018
【図１８】
0006551785.tif 000019
【図１９】
0006551785.tif 000020
【図２０】
0006551785.tif 000021
【図２１】
0006551785.tif 000022
【図２２Ａ】
0006551785.tif 000023
【図２２Ｂ】
0006551785.tif 000024
【図２３】
0006551785.tif 000025
【図２４】
0006551785.tif 000026
【図２５】
0006551785.tif 000027
【図２６】
0006551785.tif 000028
【図２７】
0006551785.tif 000029
【図２８】
0006551785.tif 000030
【図２９】
0006551785.tif 000031
【図３０】
0006551785.tif 000032